(57)【要約】【課題】情報処理装置と複数の室内機との間で情報の伝達を簡易な構成で行う空気調和装置、情報処理装置及びプログラムを提供することを目的とする。【解決手段】空気調和装置１は、複数の室内機２と、複数の室内機２と有線で接続されて、室内機２との間で信号を送受信するリモコン３とを備え、リモコン３は、内部に設置され、携帯機器２０との間で無線通信可能とする無線通信部１４を有し、無線通信部１４を介して携帯機器２０と室内機２との間で情報が伝達される。【選択図】図２
2020051668.tif 000002
【特許請求の範囲】
【請求項１】
複数の室内機と、
前記複数の室内機と有線で接続されて、前記室内機との間で信号を送受信する遠隔操作部と、
を備え、
前記遠隔操作部は、内部に設置され、情報処理装置との間で無線通信可能とする無線通信部を有し、前記無線通信部を介して前記情報処理装置と前記室内機との間で情報が伝達される空気調和装置。
【請求項２】
請求項１に記載の空気調和装置の前記遠隔操作部、又は、前記遠隔操作部に関連付けられた前記無線通信部が有する識別情報を、前記無線通信部から受信する通信部と、
前記通信部が受信した前記識別情報を有する前記遠隔操作部に関する情報を、表示部に選択可能に表示させる表示制御部と、
入力部における入力に基づいて、前記表示部に表示された前記遠隔操作部に関する情報を選択する入力制御部と、
を備える情報処理装置。
【請求項３】
前記表示部に表示される可能性のある複数の遠隔操作部候補に関する情報が予め記録されている記憶部を更に備え、
前記表示制御部は、前記複数の遠隔操作部候補に関する情報を前記表示部に表示させ、
前記複数の遠隔操作部候補のうち、前記通信部が受信した前記識別情報を有する前記遠隔操作部については、前記遠隔操作部に関する情報を、ユーザによって選択できるように前記表示部に表示させ、
前記複数の遠隔操作部候補のうち、前記通信部が受信していない前記識別情報を有する前記遠隔操作部については、前記遠隔操作部に関する情報を、ユーザによって選択できないように前記表示部に表示させる請求項２に記載の情報処理装置。
【請求項４】
前記入力制御部において前記遠隔操作部に関する情報が選択されたとき、前記表示制御部は、選択された前記遠隔操作部から受信した情報を前記表示部に表示させる請求項２に記載の情報処理装置。
【請求項５】
前記表示制御部は、前記空気調和装置の機器類の動作又は状態に関する情報を前記表示部に表示させる請求項４に記載の情報処理装置。
【請求項６】
前記表示制御部は、前記室内機に対する操作に関する情報を、前記表示部に操作可能に表示させる請求項２に記載の情報処理装置。
【請求項７】
前記表示制御部は、前記遠隔操作部において操作が行われたとき、前記操作に関する情報を前記表示部に表示させる請求項２に記載の情報処理装置。
【請求項８】
請求項１に記載の空気調和装置の前記遠隔操作部が有する識別情報を、前記無線通信部から受信する機能と、
受信した前記識別情報を有する前記遠隔操作部に関する情報を、表示部に選択可能に表示させる機能と、
入力部における入力に基づいて、前記表示部に表示された前記遠隔操作部に関する情報を選択する機能と、
をコンピュータに実現させるプログラム。
【発明の詳細な説明】
【技術分野】
【０００１】
本発明は、空気調和装置、情報処理装置及びプログラムに関するものである。
【背景技術】
【０００２】
無線ＬＡＮを利用して、スマートフォンなどの携帯機器から電気機器を操作することが行われており、空気調和装置においても、携帯機器を用いて部屋内に設置された室内機の設定温度などを操作する場合がある。
【０００３】
下記の特許文献１では、ユーザの住居内に設置されている空気調和機が無線アダプタを備え、無線アダプタがゲートウェイ装置を介して携帯端末と通信するように構成されている。無線アダプタは、携帯端末からゲートウェイ装置を介して操作信号を受信し、受信した操作信号を空気調和機の制御部に出力する。これにより、空気調和機は対応する動作を行う。
【先行技術文献】
【特許文献】
【０００４】
【特許文献１】特開２０１４−３１９５３号公報
【発明の概要】
【発明が解決しようとする課題】
【０００５】
複数の室内機を無線ＬＡＮに接続する場合、各室内機に無線通信部が設置される構成が考えられる。しかし、複数の室内機ごとに無線通信部を設置すると、各室内機の部品点数が多くなり、費用も上昇するという問題が生じる。
【０００６】
本発明は、このような事情に鑑みてなされたものであって、情報処理装置と複数の室内機との間で情報の伝達を簡易な構成で行うことが可能な空気調和装置、情報処理装置及びプログラムを提供することを目的とする。
【課題を解決するための手段】
【０００７】
上記課題を解決するために、本発明の空気調和装置、情報処理装置及びプログラムは以下の手段を採用する。
すなわち、本発明に係る空気調和装置は、複数の室内機と、前記複数の室内機と有線で接続されて、前記室内機との間で信号を送受信する遠隔操作部とを備え、前記遠隔操作部は、内部に設置され、情報処理装置との間で無線通信可能とする無線通信部を有し、前記無線通信部を介して前記情報処理装置と前記室内機との間で情報が伝達される。
【０００８】
この構成によれば、遠隔操作部に、情報処理装置との間で無線通信可能とする無線通信部が設置されており、無線通信部は、例えば情報処理装置から送信された操作信号を受信する。この場合、遠隔操作部は、無線通信部が受信した操作信号に基づいて、複数の室内機へ操作信号を送信する。これにより、複数の室内機は、情報処理装置で行われた操作に基づいた運転動作が行われる。
また、複数の室内機は、運転動作や室温等に関する信号を遠隔操作部へ送信する。遠隔操作部は、無線通信部を介して、情報処理装置へ運転動作や室温等に関する信号を送信する。
遠隔操作部は、複数の室内機と有線で接続されており、一つの遠隔操作部と複数の室内機の間で各種信号を送受信できる。したがって、一つの遠隔操作部に一つの無線通信部が設けられればよく、複数の室内機に無線通信部を設ける場合と異なり、少ない台数で複数の室内機との間で通信を行うことができる。
【０００９】
本発明に係る情報処理装置は、上述した空気調和装置の前記遠隔操作部、又は、前記遠隔操作部に関連付けられた前記無線通信部が有する識別情報を、前記無線通信部から受信する通信部と、前記通信部が受信した前記識別情報を有する前記遠隔操作部に関する情報を、表示部に選択可能に表示させる表示制御部と、入力部における入力に基づいて、前記表示部に表示された前記遠隔操作部に関する情報を選択する入力制御部とを備える。
【００１０】
この構成によれば、情報処理装置の通信部が、空気調和装置の遠隔操作部が有する識別情報を、無線通信部から受信し、表示制御部が、通信部が受信した識別情報を有する遠隔操作部に関する情報を、情報処理装置の表示部に選択可能に表示させる。入力制御部は、入力部における入力に基づいて、表示部に表示された遠隔操作部に関する情報を選択する。これにより、その後、入力部における入力に基づいて選択された遠隔操作部について、詳細な表示を行ったり、操作信号を送信したりすることができる。
【００１１】
上記発明において、前記表示部に表示される可能性のある複数の遠隔操作部候補に関する情報が予め記録されている記憶部を更に備え、前記表示制御部は、前記複数の遠隔操作部候補に関する情報を前記表示部に表示させ、前記複数の遠隔操作部候補のうち、前記通信部が受信した前記識別情報を有する前記遠隔操作部については、前記遠隔操作部に関する情報を、ユーザによって選択できるように前記表示部に表示させ、前記複数の遠隔操作部候補のうち、前記通信部が受信していない前記識別情報を有する前記遠隔操作部については、前記遠隔操作部に関する情報を、ユーザによって選択できないように前記表示部に表示させてもよい。
【００１２】
この構成によれば、表示部に表示される可能性のある複数の遠隔操作部候補に関する情報が予め記録されており、複数の遠隔操作部候補に関する情報が表示部に表示される。また、複数の遠隔操作部候補のうち、通信部が受信した識別情報を有する前記遠隔操作部については、遠隔操作部に関する情報が、ユーザによって選択できるように表示部に表示される。一方、複数の遠隔操作部候補のうち、通信部が受信していない識別情報を有する遠隔操作部については、遠隔操作部に関する情報が、ユーザによって選択できないように表示部に表示される。
【００１３】
上記発明において、前記入力制御部において前記遠隔操作部に関する情報が選択されたとき、前記表示制御部は、選択された前記遠隔操作部から受信した情報を前記表示部に表示させてもよい。
この構成によれば、入力制御部において遠隔操作部に関する情報が選択されたとき、選択された遠隔操作部から受信した情報が表示部に表示される。
【００１４】
上記発明において、前記表示制御部は、前記空気調和装置の機器類の動作又は状態に関する情報を前記表示部に表示させてもよい。
この構成によれば、入力制御部において遠隔操作部に関する情報が選択されたとき、空気調和装置の機器類の動作又は状態に関する情報が表示部に表示される。
【００１５】
上記発明において、前記表示制御部は、前記室内機に対する操作に関する情報を、前記表示部に操作可能に表示させてもよい。
この構成によれば、室内機に対する操作に関する情報が、表示部に操作可能に表示される。
【００１６】
上記発明において、前記表示制御部は、前記遠隔操作部において操作が行われたとき、前記操作に関する情報を前記表示部に表示させてもよい。
この構成によれば、遠隔操作部において操作が行われたとき、遠隔操作部での操作に関する情報が表示部に表示される。
【００１７】
本発明に係るプログラムは、上述した空気調和装置の前記遠隔操作部が有する識別情報を、前記無線通信部から受信する機能と、受信した前記識別情報を有する前記遠隔操作部に関する情報を、表示部に選択可能に表示させる機能と、入力部における入力に基づいて、前記表示部に表示された前記遠隔操作部に関する情報を選択する機能とをコンピュータに実現させる。
【発明の効果】
【００１８】
本発明によれば、情報処理装置と複数の室内機との間で情報の伝達を簡易な構成で行うことができる。
【図面の簡単な説明】
【００１９】
【図１】本発明の一実施形態に係る複数の空気調和装置と携帯機器を示す構成図である。
【図２】本発明の一実施形態に係る空気調和装置と携帯機器を示すブロック図である。
【図３】本発明の一実施形態に係る空気調和装置と携帯機器の動作を示すフローチャートである。
【図４】本発明の一実施形態に係る携帯機器を示す正面図であり、表示部における表示例を示す。
【図５】本発明の一実施形態に係る携帯機器を示す正面図であり、表示部における表示例を示す。
【図６】本発明の一実施形態に係る携帯機器を示す正面図であり、表示部における表示例を示す。
【図７】本発明の一実施形態に係る携帯機器を示す正面図であり、表示部における表示例を示す。
【図８】本発明の一実施形態に係る携帯機器を示す正面図であり、表示部における表示例を示す。
【発明を実施するための形態】
【００２０】
以下に、本発明に係る実施形態について、図面を参照して説明する。
本発明の一実施形態に係る空気調和装置１は、図１及び図２に示すように、複数の室内機２に対して操作を行う１台のリモコン（遠隔操作部）３を有し、リモコン３には、携帯機器２０と通信可能な無線通信部１４が設置される。
【００２１】
空気調和装置１は、例えばビル用マルチエアコンであり、室外機と、複数台の室内機２と、リモコン３などを有し、冷房運転、暖房運転などを行うことができる。
【００２２】
複数台の室内機２は、１台のリモコン３と制御線４によって有線で接続されており、１台のリモコン３と複数台の室内機２との間で各種信号が送受信される。リモコン３から室内機２へ送信される信号は、例えば、室内機２への操作命令に関する信号であり、室内機２からリモコン３へ送信される信号は、例えば、室内機２の運転状況、室温等に関する信号などである。
【００２３】
リモコン３は、例えば、室内機２が設置される室内の壁面などに設置される。リモコン３は、入力部１１と、表示部１２と、有線通信部１３と、無線通信部１４と、制御部１５と、などを有する。
【００２４】
入力部１１は、ユーザによる入力が可能であり、入力部１１における入力内容に応じて、室内機２に対する各種操作を行うことができる。入力部１１は、ボタンでもよいし、タッチパネルでもよい。表示部１２は、例えば液晶ディスプレイ等であり、室内機２の運転状況、室温等に関する情報を表示する。
【００２５】
有線通信部１３は、制御線４を介して、複数の室内機２との間で各種信号を送受信する。有線通信部１３は、例えば、室内機２の運転状況、室温等に関する信号などを各室内機２から受信したり、操作命令に関する信号を各室内機２へ送信したりする。
【００２６】
無線通信部１４は、リモコン３のケーシング内部に設置され、携帯機器２０との間で無線通信可能とする。無線通信は、ＩＥＥＥ８０２．１１規格の無線ＬＡＮ通信などである。無線通信部１４と携帯機器２０との間で各種信号が送受信される。携帯機器２０から無線通信部１４へ送信される信号は、例えば、各室内機２への操作命令に関する信号であり、無線通信部１４から携帯機器２０へ送信される信号は、例えば、各室内機２の運転状況、室温等に関する信号などである。
【００２７】
制御部１５は、入力部１１、又は、無線通信部１４を介した携帯機器２０からの入力に基づいて、操作命令に関する信号を生成し、有線通信部１３を介して、各室内機２へ生成した信号を送信する。また、制御部１５は、有線通信部１３を介した各室内機２からの入力に基づいて、運転状況、室温等に関する信号を生成し、表示部１２に運転状況、室温等を表示したり、無線通信部１４を介して、携帯機器２０へ生成した信号を送信したりする。
【００２８】
以上、本実施形態によれば、リモコン３は、複数の室内機２と有線で接続されており、１台のリモコン３と複数の室内機２の間で各種信号を送受信できる。リモコン３は、接続されている複数の室内機２それぞれを識別して、それぞれの室内機２との間で異なる信号を送受信できる。したがって、リモコン３は、各室内機２に対して異なる温度設定や風量設定等を行う操作を行うことができ、また、各室内機２から運転状態や室温等の情報を受信することができる。
【００２９】
そして、１台のリモコン３に一つの無線通信部１４が設けられているため、複数の室内機２に無線通信部をそれぞれ設ける場合と異なり、少ない数の無線通信部１４で複数の室内機２との間で通信を行うことができる。リモコン３は、上述したとおり、接続されている複数の室内機２それぞれを識別して、それぞれの室内機２との間で異なる信号を送受信しているため、携帯機器２０から、複数の室内機２それぞれに対して、操作を行うことができ、また、携帯機器２０へ各室内機２の情報を受信することができる。
【００３０】
また、天井内に設置された室内機２に無線通信部が設置されると、携帯機器２０との通信距離が遠くなるなどの問題が生じ、円滑に通信できないおそれがある。一方、本実施形態によれば、ユーザの手が届く位置に設置されているリモコン３に無線通信部１４が設けられているため、通信距離等に関する問題が生じにくい。
【００３１】
次に、発明の一実施形態に係る携帯機器２０について説明する。
携帯機器２０は、例えば、スマートフォン、タブレット端末、パーソナルコンピュータなどの情報処理装置であり、無線通信を行う機能を有する。携帯機器２０において、本実施形態に係るアプリケーションプログラムがインストールされて、プログラムが実行される。
【００３２】
携帯機器２０は、無線通信部１４を有する複数のリモコン３との間で信号の送受信を行う。携帯機器２０は、複数のリモコン３に関する情報を表示したり、複数のリモコン３の中から操作を行う対象とする１台のリモコン３を選択可能としたりすることができる。また、携帯機器２０は、リモコン３の無線通信部１４を介して、複数の室内機２それぞれに対して操作を行ったり、各室内機２の情報を受信して運転状況、室温等を表示したりすることができる。さらに、携帯機器２０は、リモコン３で行われた操作を受信して、操作が行われたことや操作内容を表示できる。
【００３３】
携帯機器２０は、図２に示すように、通信部２１と、表示制御部２２と、入力制御部２３と、表示部２４と、入力部２５と、メモリ（記憶部）２６などを備える。
【００３４】
通信部２１は、リモコン３の無線通信部１４との間で、無線通信を行う。通信部２１は、リモコン３、又は、リモコン３に関連付けられた無線通信部１４が有する識別情報を、無線通信部１４から受信する。また、通信部２１は、室内機２の運転状況、室温等に関する信号などを無線通信部１４から受信したり、操作命令に関する信号を無線通信部１４へ送信したりする。さらに、通信部２１は、リモコン３で行われた操作に関する情報を、無線通信部１４から受信する。
【００３５】
表示制御部２２は、携帯機器２０に設けられた液晶ディスプレイ等の表示部２４に対して、各種情報を表示させる。表示制御部２２は、通信部２１が受信した識別情報を有するリモコン３に関する情報を、表示部２４に選択可能に表示させる。識別情報を受信することによって、識別情報を送信したリモコン３を認識できるため、携帯機器２０において信号の送受信が可能なリモコン３を表示部２４にリアルタイムで表示させることができる。そして、通信部２１において、複数のリモコン３を認識している場合、そのうちの一つに対して操作可能なように、表示部２４には、リモコン３に関する情報、例えば、リモコン３の設置位置、番号などをリスト表示して、携帯機器２０の入力部２５を介して選択できるように表示する。図４及び図５には、表示部２４においてリモコン３の設置位置がリスト表示された表示例を示す。
【００３６】
入力制御部２３は、リモコン３の入力部２５における入力に基づいて、表示部２４に表示されたリモコン３に関する情報を選択する。
【００３７】
携帯機器２０のメモリ２６には、表示部２４に表示される可能性のある複数のリモコン候補に関する情報が予め記録されていてもよい。複数のリモコン候補は、ユーザの使用実績や使用可能性に合わせて、携帯機器２０のメモリ２６に記録される。表示制御部２２は、複数のリモコン候補に関する情報、例えば、リモコン３の設置位置、番号などを表示部２４にリスト表示させる。
【００３８】
また、表示制御部２２は、複数のリモコン候補のうち、通信部２１が受信した識別情報を有するリモコン３については、リモコン３に関する情報を、ユーザによって選択できるように表示部２４に表示させる。一方、表示制御部２２は、複数のリモコン候補のうち、通信部２１が受信していない識別情報を有するリモコン３については、リモコン３に関する情報を、ユーザによって選択できないように表示部２４に表示させる。例えば、携帯機器２０において信号の送受信が可能なリモコン３を示す欄を明るく表示部２４に表示し、送受信が不可能なリモコン３を示す欄を暗く表示部２４に表示することによって、ユーザは、現時点で操作可能なリモコン３を瞬時に識別できる。図４〜図６には、表示部２４においてリモコン３及びリモコン候補の設置位置がリスト表示された表示例を示す。
【００３９】
入力制御部２３においてリモコン３に関する情報が選択されたとき、表示制御部２２は、選択されたリモコン３から受信した情報、例えば室内機２の運転状況、室温等を表示部２４に表示させる。さらに、メンテナンス用に、室内機２又は室外機などの空気調和装置１に設置された機器類、例えば圧縮機、熱交換器、冷媒管等の動作又は状態が表示部２４に表示されるようにしてもよい。
【００４０】
表示制御部２２は、室内機２に対する操作に関する情報、例えば、図７に示すように、冷房又は暖房等の運転モード、温度設定、風量設定などを、表示部２４に操作可能に表示させる。ユーザは、表示部２４に表示された冷房又は暖房等の運転モード、温度設定、風量設定などを、入力部２５を介して変更することで、室内機２を操作できる。
【００４１】
表示制御部２２は、携帯機器２０とは別にリモコン３において操作が行われたとき、操作に関する情報、例えば、図８に示すように、運転モード、温度設定又は風量設定などが変更されたことを表示部２４に表示させる。ユーザが携帯機器２０において操作を行った場合、その操作に関する情報を携帯機器２０に記録しておき、記録された情報と異なるとき、表示部２４に操作に関する情報を通知するようにしてもよい。
【００４２】
次に、図３を参照して、携帯機器２０の表示や、携帯機器２０を用いた空気調和装置１の操作について説明する。
【００４３】
以下に説明する携帯機器２０における表示や操作は、例えば、携帯機器２０にアプリケーションプログラムをインストールすることによって実現される。
【００４４】
まず、リモコン３、又は、リモコン３に関連付けられた無線通信部１４が有する識別情報が、無線通信部１４から携帯機器２０へ送信される（ステップＳ１）。識別情報が携帯機器２０へ受信されることによって、無線通信によって送受信可能なリモコン３が認識される。
【００４５】
次に、図４及び図５に示すように、受信した識別情報を有するリモコン３に関する情報が、表示部２４に選択可能に表示される（ステップＳ２）。すなわち、携帯機器２０において信号の送受信が可能なリモコン３が、表示部２４にリアルタイムで表示される。複数のリモコン３を認識している場合、そのうちの一つに対して操作可能なように（例えば図４及び図５の白色の欄）、表示部２４には、リモコン３の設置位置、番号などがリスト表示される。これにより、ユーザは、携帯機器２０の入力部を介して操作対象とするリモコン３を選択できる。
【００４６】
表示部２４に表示される可能性のある複数のリモコン候補に関する情報が予め記録されている場合、複数のリモコン候補のうち、通信部２１が受信した識別情報を有するリモコン３については、リモコン３に関する情報を、ユーザによって選択できるように表示部２４に表示させ（例えば図４及び図５の白色の欄）、一方、通信部２１が受信していない識別情報を有するリモコン３については、リモコン３に関する情報を、ユーザによって選択できないように表示部２４に表示させてもよい（例えば図４〜図６の灰色の欄）。
【００４７】
携帯機器２０を介して空気調和装置１を操作する場合、入力部２５を介して、ユーザによってリモコン３に関する情報が選択される（ステップＳ３）。例えば、携帯機器２０がスマートフォンの場合、タッチパネルを介して、表示部２４に表示されたリモコン３に関する欄が選択される。
【００４８】
リモコン３に関する情報が選択されたとき、リモコン３から室内機２に関する運転状況、室温等に関する情報を受信する（ステップＳ４）。そして、表示部２４には、選択されたリモコン３から受信した情報、例えば室内機２の運転状況、室温等が表示される（ステップＳ５）。また、管理者が、メンテナンスを行う場合などには、室内機２又は室外機などの空気調和装置１に設置された圧縮機、熱交換器、冷媒管等の動作又は状態が表示部２４に表示されるようにしてもよい。
【００４９】
さらに、リモコン３に関する情報が選択されたとき、表示部２４には、室内機２に対する操作に関する情報、例えば、図７に示すように、冷房又は暖房等の運転モード、温度設定、風量設定などが操作可能に表示される（ステップＳ６）。
【００５０】
室内機２を操作する場合、ユーザによって、表示部２４に表示された冷房又は暖房等の運転モード、温度設定、風量設定などが入力部２５を介して変更される（ステップＳ７）。なお、このとき、リモコン３が操作できる複数台の室内機２に対して一括で変更を行ってもよいし、各室内機２に対して個別で変更を行ってもよい。そして、室内機２の操作に関する内容が変更されたとき、変更内容に基づいて、携帯機器２０からリモコン３の無線通信部１４へ操作命令に関する信号が送信される（ステップＳ８）。
【００５１】
リモコン３は、無線通信部１４を介して操作命令に関する信号を受信すると、操作命令に関する信号を生成し、有線通信部１３を介して、各室内機２へ生成した信号を送信する（ステップＳ９）。その結果、信号を受信した室内機２において、室内機２の運転動作が変更されて（ステップＳ１０）、室内機２に対する操作が完了する。
【００５２】
なお、ユーザが携帯機器２０において操作を行った場合、その操作に関する情報を携帯機器２０に記録する。この場合、携帯機器２０とは別にリモコン３において操作が行われ、記録された情報と異なるとき、操作に関する情報、例えば、図８に示すように、運転モード、温度設定又は風量設定などが変更されたことを表示部２４に表示させるようにしてもよい。
【００５３】
以上、本実施形態によれば、室内機２が設置される室内の壁面などに設置されたリモコン３に、携帯機器２０との間で無線通信可能とする無線通信部１４が設置されており、無線通信部１４は、携帯機器２０から送信された操作信号を受信する。リモコン３は、無線通信部１４が受信した操作信号に基づいて、複数の室内機２へ操作信号を送信する。これにより、複数の室内機２は、携帯機器２０で行われた操作に基づいた運転動作が行われる。
【００５４】
また、複数の室内機２は、運転動作や室温等に関する信号をリモコン３へ送信する。リモコン３は、無線通信部１４を介して、携帯機器２０へ運転動作や室温等に関する信号を送信する。
【００５５】
リモコン３は、複数の室内機２と有線で接続されており、一つのリモコン３と複数の室内機２の間で各種信号を送受信できる。したがって、一つのリモコン３に一つの無線通信部１４が設けられればよく、複数の室内機２に無線通信部を設ける場合と異なり、少ない台数で複数の室内機２との間で通信を行うことができる。
【００５６】
さらに、携帯機器２０の通信部２１が、空気調和装置１のリモコン３が有する識別情報を、リモコン３の無線通信部１４から受信し、携帯機器２０の表示制御部２２が、通信部２１が受信した識別情報を有するリモコン３に関する情報を、携帯機器２０の表示部２４に選択可能に表示させる。入力制御部２３は、入力部２５における入力に基づいて、表示部２４に表示されたリモコン３に関する情報を選択する。これにより、その後、入力部２５における入力に基づいて選択されたリモコン３について、詳細な表示を行ったり、操作信号を送信したりすることができる。
【符号の説明】
【００５７】
１      ：空気調和装置
２      ：室内機
３      ：リモコン（遠隔操作部）
４      ：制御線
１１    ：入力部
１２    ：表示部
１３    ：有線通信部
１４    ：無線通信部
１５    ：制御部
２０    ：携帯機器
２１    ：通信部
２２    ：表示制御部
２３    ：入力制御部
２４    ：表示部
２５    ：入力部
２６    ：メモリ（記憶部）
【図１】
2020051668.tif 000003
【図２】
2020051668.tif 000004
【図３】
2020051668.tif 000005
【図４】
2020051668.tif 000006
【図５】
2020051668.tif 000007
【図６】
2020051668.tif 000008
【図７】
2020051668.tif 000009
【図８】
2020051668.tif 000010